(57)【特許請求の範囲】
【請求項１】
縦方向及び横方向に伸縮性を有する素材からなり、人体の胴体下部から大腿部にわたる領域を被覆する陸上競技用スパッツにおいて、正面の鼠径部に沿った領域から側面の腸骨稜にあたる領域を通り背面の臀部下方部に至る領域部分を、前記の領域部分以外のスパッツ本体を構成する素材よりも伸縮性が大きい高伸縮性素材で構成し、正面の鼠径部に沿った領域及び背面の臀部下方部に沿った領域に用いる高伸縮性素材は、側面の腸骨稜にあたる領域において一帯となっていることを特徴とする陸上競技用スパッツ。
【発明の詳細な説明】
【０００１】
【発明の属する技術分野】
本発明は、陸上競技用スパッツに関するものである。
【０００２】
【従来の技術】
従来より、陸上競技用スパッツは伸縮性を有する生地を用いて構成され、着用者の体型に合わせて適度な締め付け感を有し、様々な足の運動動作を妨げないように伸縮性を有するものが一般的である。また、スパッツの部位によって伸縮性の異なる生地や当て布を用いることで、サポート性やはき心地の向上をはかったものも見られる。
特開平９−１４９９５９号には、目的とする筋肉部位に緊締力の強いサポート用当て布を縫合一体化し、目的とする筋肉をサポートしてテーピング効果を発揮させ、かつ、筋肉運動の能力をパワーアップさせるスポーツ用スパッツが開示されている。
また、部位によって伸縮性の異なる生地を用いた下衣としては、体型を美しく見せる目的のガードル等、種々の体型補正下着が既に公知となっている。
【０００３】
【発明が解決しようとする課題】
しかし、前記特開平９−１４９９５９号の発明では、サポート用当て布がスパッツ本体の素材よりも緊締力の強い伸縮素材で構成されるため、短距離走等の太ももを高く上げる（足の動きが大きい）動作を行う際に、緊締力の強いサポート用当て布が運動動作の妨げになってしまう。或いは、長距離走等のように足の動きが小さくても、同じ運動を比較的長い時間にわたって繰り返し行う際は、緊締力の強いサポート用当て布が繰り返しの運動動作の中で疲労の原因となってしまう。
また、種々の体型補正下着は、あくまでも体型を美しく見せることが目的であり、陸上競技等の運動目的には適さない。
【０００４】
そこで、本発明は前記従来技術の問題点を解決し、着用者が走る際に足の運動を妨げない陸上競技用スパッツを提供するものである。
【０００５】
【課題を解決するための手段】
請求項１の発明は、縦方向及び横方向に伸縮性を有する素材からなり、人体の胴体下部から大腿部にわたる領域を被覆する陸上競技用スパッツにおいて、正面の鼠径部に沿った領域から側面の腸骨稜にあたる領域を通り背面の臀部下方部に至る領域部分を、前記の領域部分以外のスパッツ本体を構成する素材よりも伸縮性が大きい素材で構成したことを特徴とする陸上競技用スパッツである。
【０００６】
【発明の実施の形態】
以下、本発明に係る陸上競技用スパッツ１の実施の形態を図に従い説明する。
図１は陸上競技用スパッツ１の正面図であり、図２は同じく側面図であり、図３は同じく背面図である。
本発明に係る陸上競技用スパッツ１は、縦方向及び横方向に伸縮性を有する素材からなり、人体の胴体下部から大腿部にわたる領域を被覆し適度な締め付け感を有するスパッツ本体２とスパッツ本体２を構成する素材よりも伸縮性が大きい素材（以下、高伸縮性素材３とする。）によって構成される。
本発明に係る陸上競技用スパッツ１では、高伸縮性素材３の領域よりも上部（胴体側）をスパッツ本体上部２１、高伸縮性素材３の領域よりも下部（大腿側）をスパッツ本体大腿部２２とする。
スパッツ本体大腿部２２の裾位置は着用者の必要に応じて、膝上、膝下、ふくらはぎ、足首等任意でよい。
【０００７】
着用者が短距離走や長距離走等を行う際に、陸上競技用スパッツ１が足の運動動作の妨げにならないように、以下に説明するように構成する。
図１に示す人体の正面の鼠径部１１（太ももの付け根の部分）に沿った領域から、図２に示す人体の側面の腸骨稜１２にあたる領域を通り、人体の背面の臀部下方部１３に至る領域の素材をスパッツ本体２の素材よりも伸縮性が大きい（緊締力が小さい）高伸縮性素材３を用いて構成する。
前記のように陸上競技用スパッツ１の正面部分の鼠径部１１に沿った領域を、スパッツ本体２の素材よりも伸縮性が大きい高伸縮性素材３で構成することで、太ももを下げる際に鼠径部につっぱり感を感じることがない。
陸上競技用スパッツ１の背面部分の臀部下方部１３に沿った領域の素材を、スパッツ本体２の素材よりも伸縮性が大きい高伸縮性素材３で構成することで、太ももを上げる際に最も大きく作動する大臀筋の下方領域の動きを妨げることがない。
また、前記の正面の鼠径部１１に沿った領域及び背面の臀部下方部１３に沿った領域に用いる高伸縮性素材３は、側面の腸骨稜１２にあたる領域において一帯となっている。このように高伸縮性素材３領域を一帯化することで、高伸縮性素材３を挟んでスパッツ本体上部２１とスパッツ本体大腿部２２とが分離され、スパッツ本体上部２１とスパッツ本体大腿部２２とが適度な締め付け感を有しながらも着用者が短距離走や長距離走等を行う際には、陸上競技用スパッツ１が足の運動動作の妨げにならず、着用者自身の力をそのまま発揮することができる。
【０００８】
前記の高伸縮性素材３を設ける方法としては、スパッツ本体上部２１、スパッツ本体大腿部２２及び高伸縮性素材３領域を予め構成したのち接ぎ合わせる方法や或いは、スパッツ全体を伸縮性の高い素材で構成したのち適度な締め付け感が必要なスパッツ本体上部２１とスパッツ本体大腿部２２とに同等以上の緊締力を有する伸縮性素材を重ねてもよい。
また、高伸縮性素材３領域と少なくとも前記の領域の周囲を含むスパッツ本体２を連続した一体の編物で構成し、両者の編み組織を変えることで両者の伸縮性に変化を与えることもできる。高伸縮性素材３領域の編み密度をスパッツ本体２の編み密度よりも小さくなるような編み組織とすることで、高伸縮性素材３領域の伸縮性を大きくすることができる。
【０００９】
【発明の効果】
本発明に係る陸上競技用スパッツ１は、正面部分の鼠径部に沿った領域を、スパッツ本体の素材よりも伸縮性が大きい素材で構成することで、太ももを下げる際に鼠径部につっぱり感を感じることがない。
また、背面部分の臀部下方部に沿った領域を、スパッツ本体の素材よりも伸縮性が大きい素材で構成することで、太ももを上げる際に最も大きく作動する大臀筋の下方領域の動きを妨げることがない。
また、前記の正面の鼠径部に沿った領域及び背面の臀部下方部に沿った領域の高伸縮性素材は、側面の腸骨稜にあたる領域にて一帯となっており、高伸縮性素材を挟んでスパッツ本体上部とスパッツ本体大腿部とが分離され、適度な締め付け感を有しながらも着用者が短距離走や長距離走等を行う際には、陸上競技用スパッツが足の運動動作の妨げにならず、着用者自身の力をそのまま発揮することができる。
【００１０】
【図面の簡単な説明】
【図１】図１は本発明に係る陸上競技用スパッツの実施の形態を示す正面図である。
【図２】図２は本発明に係る陸上競技用スパッツの実施の形態を示す側面図である。
【図３】図３は本発明に係る陸上競技用スパッツの実施の形態を示す背面図である。
【符号の説明】
１    陸上競技用スパッツ
２    スパッツ本体
３    高伸縮性素材
１１  鼠径部
１２  腸骨稜
１３  臀部下方部
２１  スパッツ本体上部
２２  スパッツ本体大腿部
【図１】
0004008276.tif 000002
【図２】
0004008276.tif 000003
【図３】
0004008276.tif 000004